(57)【要約】      （修正有）【課題】部屋毎の各ベッドに任意の台数のプレート子機と１台のナースコール子機とを設置するにあたって、その配置換えを容易とする。【解決手段】部屋毎の各ベッドに少なくとも２台のプレート子機１ａ、１ｂと１台のナースコール子機２とを設置するにあたって、それぞれのプレート子機にナースコール子機が接続されている場合、廊下灯３の廊下灯ＣＰＵ３０はその旨の警報発報を行うことができ、これを確認することで何れか１の接続状態を保持するように当該ナースコール子機の取外しが可能となる。また、廊下灯ＣＰＵは、ナースコール子機が接続されるプレート子機、又は呼出操作がなされたナースコール子機が接続されるプレート子機のみを有効な当該プレート子機であると自動設定することができる一方、その他の当該プレート子機の動作を停止させることができる。【選択図】図１
2014045803.tif 000002
【特許請求の範囲】
【請求項１】
医療・介護施設の部屋毎の各ベッドに設置され、ナースコール子機が接続される少なくとも２台のプレート子機と、前記ナースコール子機を用いた被看護人による呼出しを報知するための廊下灯と、スタッフステーション等の施設内共用部に設置され、前記被看護人からの呼出しに看護人が応答して通話を成立させるためのナースコール親機と、前記廊下灯及び前記ナースコール親機を制御するための制御機とを有するナースコールシステムであって、
前記廊下灯は、前記ナースコール子機が前記プレート子機に接続されているか否かを状態探査するための状態探査信号を生成し、同一の配線上を経由して同一のタイミングで前記プレート子機に送信する廊下灯ＣＰＵを備え、
前記プレート子機は、前記ナースコール子機が接続されているか否かを検出するための接続検出回路と、前記廊下灯より伝送されてくる前記状態探査信号を検出し、前記接続検出回路にて検出される接続状態又は未接続状態を示す状態検出応答信号を生成して前記廊下灯に送信する子機ＣＰＵとを備え、
前記廊下灯の前記廊下灯ＣＰＵは、前記プレート子機より同一の配線上を経由して同一のタイミングで伝送されてくる前記状態検出応答信号が前記接続状態、前記未接続状態の内容で異なって重畳伝送している等の理由で通信異常であったとき、前記未接続状態を示す当該信号の送信元であるプレート子機の動作を停止させるための停止制御信号を生成して当該プレート子機に送信するとともに、前記停止制御信号を生成後のタイミングで前記状態探査信号を再生成して前記プレート子機に送信する機能を有し、
前記プレート子機の前記子機ＣＰＵは、前記廊下灯の前記廊下灯ＣＰＵにて再生成され伝送されてくる前記状態探査信号を検出可能な動作状態であるとき、前記接続検出回路にて検出される接続状態を示す状態検出応答信号を生成して前記廊下灯に送信する機能を有することを特徴とするナースコールシステム。
【請求項２】
前記廊下灯の前記廊下灯ＣＰＵは、前記状態探査信号の再生成後のタイミングで、前記プレート子機より送信される前記状態検出応答信号が再び通信異常であったとき、警報発報する機能を有することを特徴とする請求項１記載のナースコールシステム。
【請求項３】
前記廊下灯の前記廊下灯ＣＰＵは、前記警報発報が行われた後のタイミングで、前記通信異常が正常に復旧するまでの間繰り返し前記状態探査信号を再生成して前記プレート子機に送信する機能を有し、
前記プレート子機の前記子機ＣＰＵは、前記状態探査信号を受信したタイミングで、前記接続検出回路にて検出される接続状態を示す状態検出応答信号を生成して前記廊下灯に送信する機能を有することを特徴とする請求項２記載のナースコールシステム。
【請求項４】
前記プレート子機は、前記ナースコール子機を用いた呼出操作の有無を検出するための呼出検出回路を備え、
前記プレート子機の前記子機ＣＰＵは、前記廊下灯より伝送されてくる前記状態探査信号を検出し、前記呼出検出回路にて検出される呼出操作の有無に対応させた呼出状態又は接続状態を示す操作検出応答信号を生成して前記廊下灯に送信する機能を有し、
前記廊下灯の前記廊下灯ＣＰＵは、前記プレート子機より伝送されてくる前記操作検出応答信号を示す内容が呼出状態、接続状態で異なっているために通信異常となったとき、前記未接続状態の識別のための停止制御信号を生成して前記プレート子機に送信するとともに、前記停止制御信号を生成後のタイミングで前記状態探査信号を再生成して前記プレート子機に送信する機能を有し、
前記プレート子機の前記子機ＣＰＵは、前記廊下灯の前記廊下灯ＣＰＵにて再生成され伝送されてくる前記状態探査信号を検出したとき、前記呼出検出回路にて検出される呼出状態、接続状態を示す操作検出応答信号を再生成して前記廊下灯に送信する機能を有し、
前記廊下灯の前記廊下灯ＣＰＵは、前記プレート子機の前記子機ＣＰＵにて再生成され伝送されてくる前記操作検出応答信号が呼出状態、接続状態で異なっているために通信異常となったときに警報発報する機能を有することを特徴とする請求項１記載のナースコールシステム。
【請求項５】
医療・介護施設の部屋毎の各ベッドに設置され、ナースコール子機が接続される１台又は２台以上のプレート子機と、前記ナースコール子機を用いた被看護人による呼出しを報知するための廊下灯と、スタッフステーション等の施設内共用部に設置され、前記被看護人からの呼出しに看護人が応答して通話を成立させるためのナースコール親機と、前記廊下灯及び前記ナースコール親機を制御するための制御機とを有するナースコールシステムであって、
前記廊下灯は、自廊下灯に接続されるプレート子機が１台又は２台以上であるかを設定するための廊下灯操作部と、前記ナースコール子機が前記プレート子機に接続されているか否かを状態探査するための状態探査信号を生成し、同一の配線上で１回のみ前記フレート子機に送信する廊下灯ＣＰＵとを備え、
前記プレート子機は、前記ナースコール子機が接続されているか否かを検出するための接続検出回路と、前記廊下灯より伝送されてくる前記状態探査信号を検出し、前記接続検出回路にて検出される接続状態又は未接続状態を示す状態検出応答信号を生成して前記廊下灯に送信するための子機ＣＰＵとを備え、
前記廊下灯の前記廊下灯ＣＰＵは、前記廊下灯操作部による設定が自廊下灯に２台以上のプレート子機が接続されている設定において、前記プレート子機より伝送されてくる前記状態検出応答信号が接続状態の内容であったときに警報発報する機能を有することを特徴とするナースコールシステム。
【発明の詳細な説明】
【技術分野】
【０００１】
本発明は、医療・介護施設に設置されるナースコールシステムに係り、特に、部屋毎の各ベッドに任意の台数のプレート子機と１台のナースコール子機とを設置するにあたって、その配置換えが容易なナースコールシステムに関する。
【背景技術】
【０００２】
従来から、この種のナースコールシステムとして、各ベッドの被看護人がナースコール子機を用いて呼出操作を行うと、このナースコール子機が接続されたプレート子機を経由して廊下灯が呼出され、所定の呼出報知が行われることが知られている。
【０００３】
なお、同様な動作が行われる当該システムとしては、集合廊下アダプタと、各集合廊下アダプタにバスラインでバス接続され、かつ病室内のベッド毎に設けられた複数の子機アダプタ及びこの子機アダプタに接続されたナースコール子機とを備えるナースコール装置が開示されている（例えば、特許文献１を参照）。
【０００４】
このナースコール装置によれば、電源投入後に、脱落・断線警報発報の対象か否かを登録する登録テーブルを作成し、ポーリング処理時にこの登録テーブルのデータを参照することにより、ポーリング処理データを送出したにも拘らずポーリング処理アンサーデータを受信できなかったとき、すなわち断線状態のときに該登録テーブルに脱落・断線対象外として登録されていれば、脱落・断線警報発報を回避することができる。したがって、集合廊下アダプタの任意のベッド位置の警報を発報しないようにする必要があるとき、発報しないベッド位置に対応する不要なダミー子機アダプタを設置したり、集合廊下アダプタ内の配線と子機アダプタ台数設定回路の設定台数を変更する必要がない。
【先行技術文献】
【特許文献】
【０００５】
【特許文献１】特開平８−２４２３０３号公報
【発明の概要】
【発明が解決しようとする課題】
【０００６】
しかしながら、背景技術に記載したナースコール装置によれば、未接続端子に脱落断線が出ないように子機毎に登録テーブルに登録しておく必要があるため、その登録にあたり必要とされる例えば、ＣＰＵ機能にかかる負荷が高くなるとともに、メモリ使用量が増大することになる。したがって、子機アダプタの配置換えや追加を行うたびに登録テーブルの内容を書換える必要があり、その管理に煩雑さを有する難点があった。
【０００７】
本発明は、この難点を解消するためになされたものであり、部屋毎の各ベッドに任意の台数のプレート子機と１台のナースコール子機とを設置するにあたって、ナースコール子機が接続されるプレート子機又は呼出操作がなされたナースコール子機が接続されるプレート子機のみを有効な当該プレート子機であると廊下灯にて判断することで、ナースコール子機の未接続又は過接続を容易に発見するとともに、当該プレート子機の配置換えが容易なナースコールシステムを提供することを目的としている。
【課題を解決するための手段】
【０００８】
前述の目的を達成するため、本発明の第１の態様であるナースコールシステムは、医療・介護施設の部屋毎の各ベッドに設置され、ナースコール子機が接続される少なくとも２台のプレート子機と、ナースコール子機を用いた被看護人による呼出しを報知するための廊下灯と、スタッフステーション等の施設内共用部に設置され、被看護人からの呼出しに看護人が応答して通話を成立させるためのナースコール親機と、廊下灯及びナースコール親機を制御するための制御機とを有する当該システムである。廊下灯は、ナースコール子機がプレート子機に接続されているか否かを状態探査するための状態探査信号を生成し、同一の配線上を経由して同一のタイミングでプレート子機に送信する廊下灯ＣＰＵを備えている。プレート子機は、ナースコール子機が接続されているか否かを検出するための接続検出回路と、廊下灯より伝送されてくる状態探査信号を検出し、接続検出回路にて検出される接続状態又は未接続状態を示す状態検出応答信号を生成して廊下灯に送信する子機ＣＰＵとを備えている。廊下灯の廊下灯ＣＰＵは、プレート子機より同一の配線上を経由して同一のタイミングで伝送されてくる状態検出応答信号が接続状態、未接続状態の内容で異なって重畳伝送している等の理由で通信異常であったとき、未接続状態を示す当該信号の送信元であるプレート子機の動作を停止させるための停止制御信号を生成して当該プレート子機に送信するとともに、停止制御信号を生成後のタイミングで状態探査信号を再生成してプレート子機に送信する機能を有している。プレート子機の子機ＣＰＵは、廊下灯の廊下灯ＣＰＵにて再生成され伝送されてくる状態探査信号を検出可能な動作状態であるとき、接続検出回路にて検出される接続状態を示す状態検出応答信号を生成して廊下灯に送信する機能を有している。
【０００９】
このような態様のナースコールシステムによれば、同部屋内の各ベッドに設置される少なくとも２台のプレート子機のうち、ナースコール子機が接続されている当該プレート子機を有効な機器として廊下灯で自動設定することができる一方、ナースコール子機が接続されていない当該プレート子機の動作を停止させることができる。
【００１０】
また、本発明の第２の態様であるナースコールシステムは、本発明の第１の態様において、廊下灯の廊下灯ＣＰＵは、状態探査信号の再生成後のタイミングで、プレート子機より送信される状態検出応答信号が再び通信異常であったとき、警報発報する機能を有している。
【００１１】
このような態様のナースコールシステムによれば、同部屋内の各ベッドに設置される少なくとも２台のプレート子機にそれぞれ、ナースコール子機が接続されていない又はプレート子機の故障により通信異常であったとき、その旨の警報発報を行うことができ、ナースコール子機の取付け又はプレート子機の修理が促される。
【００１２】
また、本発明の第３の態様であるナースコールシステムは、本発明の第２の態様において、廊下灯の廊下灯ＣＰＵは、警報発報が行われた後のタイミングで、通信異常が正常に復旧するまでの間繰り返し状態探査信号を再生成してプレート子機に送信する機能を有している。プレート子機の子機ＣＰＵは、状態探査信号を受信したタイミングで、接続検出回路にて検出される接続状態を示す状態検出応答信号を生成して廊下灯に送信する機能を有している。
【００１３】
このような態様のナースコールシステムによれば、同部屋内の各ベッドに設置される少なくとも２台のプレート子機にそれぞれ、ナースコール子機が接続されていない又はプレート子機の故障により通信異常であったとき、この通信異常が正常に復旧されるまでの間警報発報を継続させ、警報発報中においてナースコール子機の取付け又はプレート子機の修理が行なわれた場合、警報発報を停止し、ナースコール子機の接続が保持されている当該プレート子機を有効な機器として廊下灯で自動設定することができる一方、ナースコール子機が取外された当該プレート子機の動作を停止させることができる。
【００１４】
また、本発明の第４の態様であるナースコールシステムは、本発明の第１の態様において、プレート子機は、ナースコール子機を用いた呼出操作の有無を検出するための呼出検出回路を備えている。プレート子機の子機ＣＰＵは、廊下灯より伝送されてくる状態探査信号を検出し、呼出検出回路にて検出される呼出操作の有無に対応させた呼出状態又は接続状態を示す操作検出応答信号を生成して廊下灯に送信する機能を有している。廊下灯の廊下灯ＣＰＵは、プレート子機より伝送されてくる操作検出応答信号を示す内容が呼出状態、接続状態で異なっているために通信異常となったとき、未接続状態の識別のための停止制御信号を生成してプレート子機に送信するとともに、停止制御信号を生成後のタイミングで状態探査信号を再生成してプレート子機に送信する機能を有している。プレート子機の子機ＣＰＵは、廊下灯の廊下灯ＣＰＵにて再生成され伝送されてくる状態探査信号を検出したとき、呼出検出回路にて検出される呼出状態、接続状態を示す操作検出応答信号を再生成して廊下灯に送信する機能を有している。廊下灯の廊下灯ＣＰＵは、プレート子機の子機ＣＰＵにて再生成され伝送されてくる操作検出応答信号が呼出状態、接続状態で異なっているために通信異常となったときに警報発報する機能を有している。
【００１５】
このような態様のナースコールシステムによれば、同部屋内の各ベッドに設置される少なくとも２台のプレート子機にそれぞれ、ナースコール子機が接続されている場合であって、何れか１のナースコール子機のみ呼出操作された呼出状態である一方、その他のナースコール子機は何ら操作されていない通信異常であったとき、通信異常が正常に復旧されるまでの間警報発報を継続させ、警報発報中においてナースコール子機を取外した場合、警報発報を停止し、ナースコール子機の接続が保持されている当該プレート子機を有効な機器として廊下灯で自動設定することができる一方、ナースコール子機が取外された当該プレート子機の動作を停止させることができる。
【００１６】
また、本発明の第５の態様であるナースコールシステムは、医療・介護施設の部屋毎の各ベッドに設置され、ナースコール子機が接続される１台又は２台以上のプレート子機と、ナースコール子機を用いた被看護人による呼出しを報知するための廊下灯と、スタッフステーション等の施設内共用部に設置され、被看護人からの呼出しに看護人が応答して通話を成立させるためのナースコール親機と、廊下灯及びナースコール親機を制御するための制御機とを有している。廊下灯は、自廊下灯に接続されるプレート子機が１台又は２台以上であるかを設定するための廊下灯操作部と、ナースコール子機がプレート子機に接続されているか否かを状態探査するための状態探査信号を生成し、同一の配線上で１回のみフレート子機に送信する廊下灯ＣＰＵとを備えている。プレート子機は、ナースコール子機が接続されているか否かを検出するための接続検出回路と、廊下灯より伝送されてくる状態探査信号を検出し、接続検出回路にて検出される接続状態又は未接続状態を示す状態検出応答信号を生成して廊下灯に送信するための子機ＣＰＵとを備えている。廊下灯の廊下灯ＣＰＵは、廊下灯操作部による設定が自廊下灯に２台以上のプレート子機が接続されている設定において、プレート子機より伝送されてくる状態検出応答信号が接続状態の内容であったときに警報発報する機能を有している。
【００１７】
このような態様のナースコールシステムによれば、部屋内の各ベッドに設置されるプレート子機として２台以上の台数を廊下灯の廊下灯操作部を用いて予め設定し、設定された台数全てのプレート子機にナースコール子機が接続されていると廊下灯ＣＰＵが検出した場合、その旨の警報発報を行うことができ、警報発報中においてナースコール子機を取外した場合、警報発報を停止し、ナースコール子機の接続が保持されている当該プレート子機を有効な機器として廊下灯ＣＰＵにて自動設定することができる一方、ナースコール子機が取外された当該プレート子機の動作を停止させることができる。
【発明の効果】
【００１８】
本発明のナースコールシステムによれば、部屋毎の各ベッドに少なくとも２台のプレート子機と１台のナースコール子機とを設置するにあたって、それぞれのプレート子機にナースコール子機が接続されている場合、廊下灯の廊下灯ＣＰＵはその旨の警報発報を行うことができ、これを確認することで何れか１の接続状態を保持するように当該ナースコール子機の取外しが可能となる。また、廊下灯ＣＰＵは、ナースコール子機が接続されるプレート子機、又は呼出操作がなされたナースコール子機が接続されるプレート子機のみを有効な当該プレート子機であると自動設定することができる一方、その他の当該プレート子機の動作を停止させることができ、ナースコール子機の未接続又は過接続を容易に発見するとともに、当該プレート子機の配置換えが容易となる。
【００１９】
また、本発明のナースコールシステムによれば、部屋毎の各ベッドに１台又は２台以上のプレート子機と１台のナースコール子機とを設置するにあたって、この台数を廊下灯の廊下灯操作部を用いて予め設定することにより、廊下灯ＣＰＵは、ナースコール子機の呼出操作を必要とせずに、ナースコール子機が接続されたプレート子機のみを有効な当該プレート子機であると自動設定することができる一方、その他の当該プレート子機の動作を停止させることができ、ナースコール子機の未接続又は過接続を容易に発見するとともに、当該プレート子機の配置換えが容易となる。
【図面の簡単な説明】
【００２０】
【図１】図１は、本発明の実施例によるナースコールシステムの全体構成を示すシステム説明図である。
【図２】図２は、本発明の実施例によるナースコールシステムにおいて、プレート子機及びナースコール子機の具体的な構成を示すブロック図である。
【図３】図３（Ａ）は、本発明の実施例によるナースコールシステムの第１の動作を説明するためのブロック図であり、図３（Ｂ）はその動作を説明するためのフローチャート図である。
【図４】図４（Ａ）は、本発明の実施例によるナースコールシステムの第２の動作を説明するためのブロック図であり、図４（Ｂ）はその動作を説明するためのフローチャート図である。
【図５】図５は、本発明の実施例によるナースコールシステムの第３の動作を説明するためのブロック図である。
【図６】図６は、本発明の実施例によるナースコールシステムの第３の動作を説明するためのフローチャート図である。
【図７】図７（Ａ）は、本発明の実施例によるナースコールシステムの第４の動作を説明するためのブロック図であり、図７（Ｂ）はその動作を説明するためのフローチャート図である。
【発明を実施するための形態】
【００２１】
以下、本発明のナースコールシステムを適用した実施の形態例について、図面を参照して説明する。
【００２２】
図１は、本発明の実施例によるナースコールシステムの全体構成を示すシステム説明図である。このナースコールシステムは、医療・介護施設として例えば、一人部屋を多数有する高齢者向けマンションに設置されるものである。
【００２３】
同図に示すナースコールシステムは、前述の高齢者向けマンションの例えば、２０１号室、２０２号室、・・・のような部屋毎の各ベッドに設置される少なくとも２台、或いは１台又は２台以上、ここでは２台のプレート子機１ａ、１ｂ、１ａ、１ｂ、・・・と、各部屋に１台ずつ設置されプレート子機１ａ、１ｂ、１ａ、１ｂ、・・・に接続可能である例えば、呼出握りボタンやハンド子機にて構成されるナースコール子機２と、各部屋の出入り口近傍に１台ずつ設置され同一の配線上である子機／廊下灯ラインＬ1を経由して（自部屋内の）プレート子機１ａ、１ｂ、１ａ、１ｂ、・・・に接続される廊下灯３、３、・・・と、スタッフステーション等の施設内共用部に設置されるナースコール親機４と、同様な施設内共用部に設置され廊下灯ラインＬ2を経由して接続され（各部屋の出入り口近傍に１台ずつ設置された）廊下灯３、３、・・・及び親機ラインＬ3を経由して接続されたナースコール親機４を制御するための制御機５とを有している。なお、廊下灯３、３、・・・及び制御機５間の接続は、図示のような渡り配線接続に限定されるものではなく、例えば、バス接続することもできる。
【００２４】
ここで、ナースコール子機２は、各ベッドの被看護人（患者と同意）が、例えば、通常呼出し（スタッフコール呼出し）、トイレ・風呂介助呼出し、点滴終了呼出し等の呼出種別毎で異なる所定の呼出操作を行うものである。なお、ナースコール子機２には、被看護人が看護人（看護師と同意）との間で通話を成立させる通話機能を備えることもできる。
【００２５】
プレート子機１ａ、１ｂ、１ａ、１ｂ、・・・は、それぞれ同様な構成であり、ナースコール子機２の使用による被看護人からの呼出しを前述のような呼出種別毎で検出し、所定のフォーマットの呼出信号を生成するとともに、被看護人が看護人との間で通話を成立させるものである。
【００２６】
廊下灯３、３、・・・は、それぞれ同様な構成であり、プレート子機１ａ、１ｂ、１ａ、１ｂ、・・・にて生成される呼出信号をもとにナースコール子機２の使用による被看護人からの呼出しを、前述のような呼出種別毎、異なるパターンで報知（呼出発報）するものである。
【００２７】
ナースコール親機４は、ナースコール子機２の使用による被看護人からの呼出しを、前述のような呼出種別毎、異なるパターンで報知（呼出発報）するとともに、これを確認した看護人が被看護人との間で通話を成立させるものである。また、ナースコール親機４には、通常、プレート子機１ａ、１ｂ、１ａ、１ｂ、・・・や廊下灯３、３、・・・を個別呼出し又は一斉呼出しする機能も備えられている。なお、ナースコール親機４の構成態様としては、図示のようなボード型の当該親機に限定されず、例えば、ＰＣ（パーソナル・コンピュータ）連動型の当該親機も好適とされる。
【００２８】
次に、図１に示すプレート子機１ａ、１ｂ、１ａ、１ｂ、・・・及び廊下灯３、３、・・・の具体的な構成について、図２のブロック図を参照して説明する。
【００２９】
同図に示すプレート子機１ａ、１ｂ、１ａ、１ｂ、・・・は、子機端子１０、接続検出回路１１、呼出検出回路１２、子機操作部１３、子機通話部１４、子機ＣＰＵ１５及び子機Ｉ／Ｆ１６を有している。
【００３０】
このプレート子機１ａ、１ｂ、１ａ、１ｂ、・・・において、子機端子１０は、ナースコール子機２が接続、例えば、所定のラインを経由してコネクタ接続されるものである。また、接続検出回路１１は、ナースコール子機２が子機端子１０に接続されているか否か、すなわち、接続状態又は未接続状態を検出するものである。さらに、呼出検出回路１２は、子機端子１０に接続されたナースコール子機２による呼出操作の有無、すなわち、呼出状態又は何ら操作されていないこと起因した前述の接続状態を検出するものである。
【００３１】
子機操作部１３は、部屋内に在室中の看護人がスタッフステーション内に在室中の看護人を緊急呼出しするスタッフコール呼出ボタンや、呼出・通話状態を待受状態に復旧させる復旧ボタン等の各種操作ボタンを有している。
【００３２】
子機通話部１４は、部屋内に在室中の被看護人又は緊急呼出元である看護人がスタッフステーション内に在室中の看護人との間で通話を成立させるにあたり、音声（送話音声、受話音声）を入出力するマイク（ＭＩＣ）１４ａ及びスピーカ（ＳＰ）１４ｂを有している。なお、スピーカ１４ｂは、前述のような通話機能のみならず、スタッフステーション内に在室中の看護人によるナースコール親機４からの個別呼出し又は一斉呼出しの内容を音響出力することができる。
【００３３】
子機ＣＰＵ１５は、当該プレート子機の構成各部を制御するものである。また、子機Ｉ／Ｆ１６は、子機ＣＰＵ１５及び子機／廊下灯ラインＬ1間の信号伝送路を形成するものである。
【００３４】
なお、プレート子機１ａ、１ｂ、１ａ、１ｂ、・・・を構成する子機端子１０、子機操作部１３、（子機通話部１４の）マイク１４ａ及びスピーカ１４ｂは、図１に示すように当該プレート子機の所定の位置に設けられている。
【００３５】
また、同図に示す廊下灯３、３、・・・は、廊下灯操作部３０、廊下灯通話部３１、廊下灯表示部３２、廊下灯ＣＰＵ３３、子機側廊下灯Ｉ／Ｆ３４及び制御機側廊下灯Ｉ／Ｆ３５を有している。
【００３６】
この廊下灯３、３、・・・において、廊下灯操作部３０は、例えば、廊下灯表示部３２の前面に配置されるタッチパネルにて構成され、各部屋の出入り口近傍に居る看護人がスタッフステーション内に在室中の看護人を緊急呼出しするスタッフコール呼出ボタンや、呼出・通話状態を待受状態に復旧させる復旧ボタン等の各種操作ボタンを有している。なお、廊下灯操作部３０としては、前述のようなタッチパネル上の操作ボタンの態様に限定されるものではなく、自廊下灯に接続されるプレート子機１ａ、１ｂ、１ａ、１ｂ、・・・が１台又は２台以上であるかを設定する機能として、例えば、ＤＩＰスイッチが備えられている。
【００３７】
廊下灯通話部３１は、部屋の出入り口に居る看護人がスタッフステーション内に在室中の看護人との間で通話を成立させるにあたり、音声（送話音声、受話音声）を入出力するマイク（ＭＩＣ）３１ａ及びスピーカ（ＳＰ）３１ｂを有している。なお、スピーカ３１ｂは、前述のような通話機能のみならず、ナースコール子機２の使用による被看護人からの呼出しを、前述のような呼出種別毎、異なるパターンで音響出力（呼出発報）することができる。また、スピーカ３１ｂは、スタッフステーション内に在室中の看護人によるナースコール親機４からの個別呼出し又は一斉呼出しの内容を音響出力することができる。さらに、スピーカ３１ｂは、後述する警報発報として音響出力することができる。
【００３８】
廊下灯表示部３２は、例えば、ＬＥＤ、ＬＣＤ、有機ＥＬディスプレイ等の各種の表示媒体にて構成され、ナースコール子機２の使用による被看護人からの呼出しを、前述のような呼出種別毎、異なるパターンで表示（呼出発報）することができる。なお、廊下灯表示部３２は、前述のような呼出報知機能のみならず、後述する警報発報としてその内容を表示することができる。
【００３９】
廊下灯ＣＰＵ３３は、当該廊下灯の構成各部を制御するものである。また、子機側廊下灯Ｉ／Ｆ３４は、廊下灯ＣＰＵ３３及び子機／廊下灯ラインＬ1間の信号伝送路を形成するものである。また、制御機側廊下灯Ｉ／Ｆ３５は、廊下灯ＣＰＵ３３及び廊下灯ラインＬ2間の信号伝送路を形成するものである。
【００４０】
なお、廊下灯３、３、・・・を構成する廊下灯操作部３０、（廊下灯通話部３１の）マイク３１ａ、スピーカ３１ｂ及び廊下灯表示部３２は、図１に示すように当該廊下灯の所定の位置に設けられている。
【００４１】
このように構成された本発明の実施例によるナースコールシステムにおいて、以下、具体的な動作について説明する。
【００４２】
『第１の動作』
第１の動作について図３（Ａ）のブロック図及び図３（Ｂ）のフローチャート図を参照して説明する。図１に示す例えば、２０１号室内であって、同部屋内の各ベッドに設置されるプレート子機１ａ、１ｂのうち、一方のプレート子機１ａの子機端子１０にのみナースコール親機２が予め接続されているとき、このような施工が完了したタイミングで制御機５に電源が投入されると、これを検出した制御機５により制御される（２０１号室の出入り口近傍に設置された）図２に示す廊下灯３の廊下灯ＣＰＵ３３は、所定の間隔、例えば、１００ｍｓ毎の定期的なタイミングで、ナースコール子機２がプレート子機１ａ、１ｂの子機端子１０に接続されているか否かを状態探査するための状態探査信号を生成する（ステップＳＴ１、ＳＴ２）。この状態探査信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００４３】
プレート子機１ａ、１ｂの子機ＣＰＵ１５はそれぞれ、廊下灯３より同一の配線上で同一のタイミングで伝送されてきた状態探査信号を検出すると、接続検出回路１１の検出結果をもとにナースコール子機２が子機端子１０に接続されているかを確認する。ここで、プレート子機１ａの子機端子１０には、図３（Ａ）に示すようにナースコール子機２が予め接続されているため、この接続状態を接続検出回路１１の検出結果をもとに確認した子機ＣＰＵ１５は、接続状態を示す状態検出応答信号を生成する（ステップＳＴ３）。また、プレート子機１ａの子機ＣＰＵ１５にて生成された状態検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００４４】
一方、プレート子機１ｂの子機端子１０には、図３（Ａ）に示すようにナースコール子機２が未接続であるため、この未接続状態を接続検出回路１１の検出結果をもとに確認した子機ＣＰＵ１５は、未接続状態を示す状態検出応答信号を生成する（ステップＳＴ４）。また、プレート子機１ｂの子機ＣＰＵ１５にて生成された状態検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００４５】
廊下灯３の廊下灯ＣＰＵ３３は、プレート子機１ａ、１ｂより同一の配線上で同一のタイミングで伝送されてきたそれぞれの状態検出応答信号を、前述の状態探査信号の生成後で例えば、１０ｍｓの経過後のタイミングで受信するにあたって、その状態検出応答信号を示す内容が接続状態、未接続状態で異なっており、そのエラー情報に伴い信号受信ができないため、この時点においてはプレート子機１ａ、１ｂのうち何れの当該プレート子機がナースコール子機２の接続状態又は未接続状態であるか、或いは何れの当該プレート子機が故障しているか判断できない。そこで、廊下灯ＣＰＵ３３は、未接続状態を示す当該信号の送信元であるプレート子機１ｂの動作を停止させるための停止制御信号を生成する（ステップＳＴ５）。この停止制御信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００４６】
また、廊下灯３の廊下灯ＣＰＵ３３は、前述の停止制御信号の生成後であって状態探査信号を生成した最初のタイミングから計時される１００ｍｓの経過後に状態探査信号を再生成する（ステップＳＴ６）。この状態探査信号は、前述と同様な伝送路を経由してプレート子機１ａ、１ｂの子機ＣＰＵ１５にそれぞれ伝送される。
【００４７】
ここで、プレート子機１ａ、１ｂの子機ＣＰＵ１５のうち、プレート子機１ａの子機ＣＰＵ１５は、廊下灯３より伝送されてきた停止制御信号が無効な当該信号であると判別され、状態探査信号を検出することで接続状態を示す状態検出応答信号を再生成する（ステップＳＴ７）。また、プレート子機１ａの子機ＣＰＵ１５にて再生成された状態検出応答信号は、前述と同様な伝送路を経由して廊下灯３の廊下灯ＣＰＵ３３に伝送される。
【００４８】
一方、プレート子機１ｂの子機ＣＰＵ１５は、廊下灯３より伝送されてきた停止制御信号が有効な当該信号であると判別されるため、自子機の動作が停止される。したがって、プレート子機１ａの子機ＣＰＵ１５のような状態検出応答信号を再生成することはない。
【００４９】
廊下灯３の廊下灯ＣＰＵ３３は、プレート子機１ａより伝送されてきた状態検出応答信号を、前述の状態探査信号の再生成後で例えば、１０ｍｓの経過後のタイミングで受信すると、２台のプレート子機１ａ、１ｂのうち、子機端子１０にナースコール子機２が接続されているプレート子機１ａを有効な機器として自動設定することができる（ステップＳＴ８、ＳＴ９）。
【００５０】
なお、前述のように、停止制御信号により動作が停止されたプレート子機１ｂによれば、例えば、当該システムへの電源供給が再起動した場合や子機端子１０にナースコール子機２が再接続された場合において、これを検出した子機ＣＰＵ１５の制御によってその動作を再開することができる。
【００５１】
『第１の動作（ステップＳＴ１〜ＳＴ９）』によれば、前述の２０１号室のみならず、その他の部屋においても同様な動作が行われることにより、各ベッドに設置されるプレート子機１ａ、１ｂのうち、何れか１の当該プレート子機の子機端子１０にのみナースコール親機２が予め接続されている場合、そのプレート子機を有効な機器として廊下灯３の廊下灯ＣＰＵ３０で自動設定することができる一方、その他のプレート子機の動作を停止させることができる。
【００５２】
また、『第１の動作（ステップＳＴ１〜ＳＴ９）』によれば、部屋毎の各ベッドに設置される当該プレート子機として、２台のプレート子機１ａ、１ｂを適用したが、この台数に限定されるものではない。例えば、３台以上のプレート子機を適用し、何れか１の当該プレート子機の子機端子１０にのみナースコール親機２が予め接続されている場合であっても、そのプレート子機を有効な機器として廊下灯３の廊下灯ＣＰＵ３０で自動設定することができる一方、その他の当該プレート子機の動作を停止させることができる。
【００５３】
『第２の動作』
次に、第２の動作について図４（Ａ）のブロック図及び図４（Ｂ）のフローチャート図を参照して説明する。図１に示す例えば、２０１号室内であって、同部屋内の各ベッドに設置されるプレート子機１ａ、１ｂの子機端子１０にそれぞれ、ナースコール親機２が予め未接続であるとき、このような施工が完了したタイミングで制御機５に電源が投入されると、これを検出した制御機５により制御される（２０１号室の出入り口近傍に設置された）図２に示す廊下灯３の廊下灯ＣＰＵ３３は、所定の間隔、例えば、１００ｍｓ毎の定期的なタイミングで、ナースコール子機２がプレート子機１ａ、１ｂの子機端子１０に接続されているか否かを状態探査するための状態探査信号を生成する（ステップＳＴ１１、ＳＴ１２）。この状態探査信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００５４】
プレート子機１ａ、１ｂの子機ＣＰＵ１５はそれぞれ、廊下灯３より同一の配線上で同一のタイミングで伝送されてきた状態探査信号を検出すると、接続検出回路１１の検出結果をもとにナースコール子機２が子機端子１０に接続されているかを確認する。ここで、プレート子機１ａ、１ｂの子機端子１０にはそれぞれ、図４（Ａ）に示すようにナースコール子機２が未接続であるため、この未接続状態を接続検出回路１１の検出結果をもとに確認した子機ＣＰＵ１５は、未接続状態を示す状態検出応答信号を生成する（ステップＳＴ１３、ＳＴ１４）。また、プレート子機１ａ、１ｂの子機ＣＰＵ１５にてそれぞれ生成された状態検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００５５】
廊下灯３の廊下灯ＣＰＵ３３は、プレート子機１ａ、１ｂより同一の配線上で同一のタイミングで伝送されてきたそれぞれの状態検出応答信号を、前述の状態探査信号の生成後で例えば、１０ｍｓの経過後のタイミングで受信するにあたって、その状態検出応答信号を示す内容が未接続状態で重畳伝送されてきたため、未接続状態に起因した接続異常であることを確認する。この廊下灯ＣＰＵ３３は、例えば、図１、図２に示す廊下灯通話部３１のスピーカ３１ｂや廊下灯表示部３２を用いて、２０１号室内に設置されたプレート子機１ａ、１ｂの子機端子１０にそれぞれ、ナースコール子機２が未接続状態である旨の警報発報を行うことができるばかりでなく（ステップＳＴ１５）、同様な警報発報をナースコール親機４に行うための警報移報信号を生成する。この警報移報信号は、廊下灯ＣＰＵ３３から制御機側廊下灯Ｉ／Ｆ３５、廊下灯ラインＬ2、制御機５、親機ラインＬ3を経由してナースコール親機４に伝送される。
【００５６】
ナースコール親機４は、廊下灯３より伝送されてきた警報移報信号を受信すると、２０１号室内に設置されたプレート子機１ａ、１ｂの子機端子１０にそれぞれ、ナースコール子機２が未接続状態である旨の警報発報を行うことができる（ステップＳＴ１５）。
【００５７】
次に、前述のような警報発報中において、２０１号室内に設置されたプレート子機１ａ、１ｂのうち何れか１の当該プレート子機、ここでは、プレート子機１ａの子機端子１０にのみナースコール子機２を接続すると（ステップＳＴ１６）、この接続後のタイミングであって前述のような１００ｍｓ毎の定期的なタイミングでその生成が継続している状態探査信号が、廊下灯３の廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される（ステップＳＴ１７）。
【００５８】
プレート子機１ａ、１ｂの子機ＣＰＵ１５はそれぞれ、廊下灯３より同一の配線上で同一のタイミングで（再び）伝送されてきた状態探査信号を検出すると、接続検出回路１１の検出結果をもとにナースコール子機２が子機端子１０に接続されているかを確認する。ここで、プレート子機１ａの子機端子１０には、図４（Ａ）に示すようにナースコール子機２が新たに接続されたため、この接続状態を接続検出回路１１の検出結果をもとに確認した子機ＣＰＵ１５は、接続状態を示す状態検出応答信号を再生成する（ステップＳＴ１８）。また、プレート子機１ａの子機ＣＰＵ１５にて再生成された状態検出応答信号は、前述と同様な伝送路を経由して廊下灯３の廊下灯ＣＰＵ３３に伝送される。
【００５９】
一方、プレート子機１ｂの子機端子１０には、図４（Ａ）に示すようにナースコール子機２が未接続であるため、この未接続状態を接続検出回路１１の検出結果をもとに確認した子機ＣＰＵ１５は、未接続状態を示す状態検出応答信号を再生成する（ステップＳＴ１９）。また、プレート子機１ｂの子機ＣＰＵ１５にて再生成された状態検出応答信号は、前述と同様な伝送路を経由して廊下灯３の廊下灯ＣＰＵ３３に伝送される。
【００６０】
廊下灯３の廊下灯ＣＰＵ３３は、プレート子機１ａ、１ｂより同一の配線上で同一のタイミングで伝送されてきたそれぞれの状態検出応答信号を、前述の状態探査信号を再生成後であって例えば、１０ｍｓの経過後のタイミングで受信するにあたって、その状態検出応答信号を示す内容が接続状態、未接続状態で異なっており、そのエラー情報に伴い信号受信ができないため、この時点においてはプレート子機１ａ、１ｂのうち何れの当該プレート子機がナースコール子機２の接続状態又は未接続状態であるか、或いは何れの当該プレート子機が故障しているか判断できない。そこで、廊下灯ＣＰＵ３３は、未接続状態を示す当該信号の送信元であるプレート子機１ｂの動作を停止させるための停止制御信号を生成する（ステップＳＴ２０）。この停止制御信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００６１】
また、廊下灯３の廊下灯ＣＰＵ３３は、前述の停止制御信号の生成後であって状態探査信号を再生成した２回目のタイミングから計時される１００ｍｓの経過後に状態探査信号を再生成する（ステップＳＴ２１）。この状態探査信号は、前述と同様な伝送路を経由してプレート子機１ａ、１ｂの子機ＣＰＵ１５にそれぞれ伝送される。
【００６２】
ここで、プレート子機１ａ、１ｂの子機ＣＰＵ１５のうち、プレート子機１ａの子機ＣＰＵ１５は、廊下灯３より伝送されてきた停止制御信号が無効な当該信号であると判別され、状態探査信号を検出することで接続状態を示す状態検出応答信号を再生成する（ステップＳＴ２２）。この状態検出応答信号は、前述と同様な伝送路を経由して廊下灯３の廊下灯ＣＰＵ３３に伝送される。
【００６３】
一方、プレート子機１ｂの子機ＣＰＵ１５は、廊下灯３より伝送されてきた停止制御信号が有効な当該信号であると判別されるため、自子機の動作が停止される。したがって、プレート子機１ａの子機ＣＰＵ１５のような状態検出応答信号を再生成することはない。
【００６４】
廊下灯３の廊下灯ＣＰＵ３３は、プレート子機１ａより伝送されてきた状態検出応答信号を、例えば、前述の状態探査信号の再生成後で例えば、１０ｍｓの経過後のタイミングで受信すると、自廊下灯３及びナースコール親機４にて継続中の警報発報を停止させるとともに、２台のプレート子機１ａ、１ｂのうち、子機端子１０にナースコール子機２が接続されているプレート子機１ａを有効な機器として自動設定することができる（ステップＳＴ２３、ＳＴ２４）。
【００６５】
なお、前述のように、停止制御信号により動作が停止されたプレート子機１ｂによれば、例えば、当該システムへの電源供給が再起動した場合や子機端子１０にナースコール子機２が再接続された場合において、これを検出した子機ＣＰＵ１５の制御によってその動作を再開することができる。
【００６６】
『第２の動作（ステップＳＴ１１〜ＳＴ２４）』によれば、前述の２０１号室のみならず、その他の部屋においても同様な動作が行われることにより、各ベッドに設置されるプレート子機１ａ、１ｂの子機端子１０にそれぞれナースコール子機２が未接続であった場合の動作として、その後に何れか１の当該プレート子機の子機端子１０にナースコール子機２を接続した場合、そのプレート子機を有効な機器として廊下灯３の廊下灯ＣＰＵ３０で自動設定することができる一方、その他の当該プレート子機の動作を停止させることができる。
【００６７】
『第３の動作』
次に、第３の動作について図５のブロック図及び図６のフローチャート図を参照して説明する。図１に示す例えば、２０１号室内であって、同部屋内の各ベッドに設置されるプレート子機１ａ、１ｂの子機端子１０にそれぞれ、ナースコール親機２が接続されているとき、このような施工が完了したタイミングで制御機５に電源が投入されると、これを検出した制御機５により制御される（２０１号室の出入り口近傍に設置された）図２に示す廊下灯３の廊下灯ＣＰＵ３３は、所定の間隔、例えば、１００ｍｓ毎の定期的なタイミングで、ナースコール子機２がプレート子機１ａ、１ｂの子機端子１０に接続されているか否かを状態探査するための状態探査信号を生成する（ステップＳＴ３１、ＳＴ３２）。この状態探査信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００６８】
プレート子機１ａ、１ｂの子機ＣＰＵ１５はそれぞれ、廊下灯３より同一の配線上で同一のタイミングで伝送されてきた状態探査信号を検出すると、接続検出回路１１の検出結果をもとにナースコール子機２が子機端子１０に接続されているかを確認する。ここで、プレート子機１ａ、１ｂの子機端子１０にはそれぞれ、図５に示すようにナースコール子機２が接続されているため、この接続状態を接続検出回路１１の検出結果をもとに確認した子機ＣＰＵ１５は、接続状態を示す状態検出応答信号をそれぞれ生成する（ステップＳＴ３３、ＳＴ３４）。また、プレート子機１ａ、１ｂの子機ＣＰＵ１５にてそれぞれ生成された状態検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００６９】
廊下灯３の廊下灯ＣＰＵ３３は、プレート子機１ａ、１ｂより同一の配線上で同一のタイミングで伝送されてきたそれぞれの状態検出応答信号を、前述の状態探査信号の生成後で例えば、１０ｍｓの経過後のタイミングで受信するにあたって、その状態検出応答信号を示す内容が接続状態で重畳伝送されてきたため、接続状態に起因した通信正常であることを確認する（ステップＳＴ３５）。この廊下灯ＣＰＵ３３は、前述のような１００ｍｓ毎の定期的なタイミングでその生成が継続している状態探査信号を、子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ送出する（ステップＳＴ３６）。
【００７０】
プレート子機１ａ、１ｂの子機ＣＰＵ１５はそれぞれ、廊下灯３より同一の配線上で同一のタイミングで（再び）伝送されてきた状態探査信号を検出すると、呼出検出回路１１の検出結果をもとに子機端子１０に接続されているナースコール子機１を用いた呼出操作の有無を確認する。ここで、プレート子機１ａ、１ｂの子機端子１０にそれぞれ接続されたナースコール子機２のうち、プレート子機１ａの子機端子１０に接続されたナースコール子機２のみ呼出操作が行われていたとすると、この呼出状態を呼出検出回路１２の検出結果をもとに確認した子機ＣＰＵ１５は、呼出状態を示す操作検出応答信号を生成する（ステップＳＴ３７）。また、プレート子機１ａの子機ＣＰＵ１５にて生成された操作検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００７１】
一方、プレート子機１ｂの子機端子１０に接続されたナースコール子機２は何ら操作されていないため、この状態を呼出検出回路１２の検出結果をもとに確認した子機ＣＰＵ１５は、接続状態を示す操作検出応答信号を生成する（ステップＳＴ３８）。また、プレート子機１ｂの子機ＣＰＵ１５にて生成された操作検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００７２】
廊下灯３の廊下灯ＣＰＵ３３は、プレート子機１ａ、１ｂより同一の配線上で同一のタイミングで伝送されてきたそれぞれの操作検出応答信号を、前述の状態探査信号を再生成後であって例えば、１０ｍｓの経過後のタイミングで受信するにあたって、その操作検出応答信号を示す内容が呼出状態、接続状態で異なっているため、初回の通信異常であることを確認する（ステップＳＴ３９）。このような確認時において廊下灯ＣＰＵ３３は、未接続状態の識別のための停止制御信号を生成する（ステップＳＴ４０）。この停止制御信号は、廊下灯ＣＰＵ３３から子機側廊下灯Ｉ／Ｆ３４、子機／廊下灯ラインＬ1、プレート子機１ａ、１ｂの子機側Ｉ／Ｆ１６を経由して子機ＣＰＵ１５にそれぞれ伝送される。
【００７３】
また、廊下灯３の廊下灯ＣＰＵ３３は、前述の停止制御信号の生成後であって状態探査信号を再生成した２回目のタイミングから計時される１００ｍｓの経過後で状態探査信号を再生成する（ステップＳＴ４１）。この状態探査信号は、前述と同様な伝送路を経由してプレート子機１ａ、１ｂの子機ＣＰＵ１５にそれぞれ伝送される。
【００７４】
ここで、プレート子機１ａ、１ｂの子機ＣＰＵ１５のうち、プレート子機１ａの子機ＣＰＵ１５は、廊下灯３より伝送されてきた停止制御信号が無効な当該信号であると判別され、状態探査信号を検出することで呼出状態を示す操作検出応答信号を再生成する（ステップＳＴ４２）。この操作検出応答信号は、前述と同様な伝送路を経由して廊下灯３の廊下灯ＣＰＵ３３に伝送される。
【００７５】
また、プレート子機１ｂの子機ＣＰＵ１５についても、廊下灯３より伝送されてきた停止制御信号が無効な当該信号であると判別され、状態探査信号を検出することで接続状態を示す操作検出応答信号を再生成する（ステップＳＴ４３）。この操作検出応答信号は、前述と同様な伝送路を経由して廊下灯３の廊下灯ＣＰＵ３３に伝送される。
【００７６】
廊下灯３の廊下灯ＣＰＵ３３は、プレート子機１ａ、１ｂより同一の配線上で同一のタイミングで伝送されてきたそれぞれの操作検出応答信号を、前述の状態探査信号の再生成後であって例えば、１０ｍｓの経過後のタイミングで受信するにあたって、その操作検出応答信号を示す内容が呼出状態、接続状態で未だに異なっているため、２回目の通信異常であることを確認する（ステップＳＴ４４）。このような確認時において廊下灯ＣＰＵ３３は、例えば、図１、図２に示す廊下灯通話部３１のスピーカ３１ｂや廊下灯表示部３２を用いて、２０１号室内に設置されたプレート子機１ａ、１ｂの子機端子１０にそれぞれ接続されているナースコール子機２又は当該プレート子機に異常が発生している旨の警報発報を行うことができるばかりでなく（ステップＳＴ４５）、同様な警報発報をナースコール親機４に行うための警報移報信号を生成する。この警報移報信号は、廊下灯ＣＰＵ３３から制御機側廊下灯Ｉ／Ｆ３５、廊下灯ラインＬ2、制御機５、親機ラインＬ3を経由してナースコール親機４に伝送される。
【００７７】
ナースコール親機４は、廊下灯３より伝送されてきた警報移報信号を受信すると、２０１号室内に設置されたプレート子機１ａ、１ｂの子機端子１０にそれぞれ、２０１号室内に設置されたプレート子機１ａ、１ｂの子機端子１０にそれぞれ接続されているナースコール子機２又は当該プレート子機に異常が発生している旨の警報発報を行うことができる（ステップＳＴ４５）。
【００７８】
次に、前述のような警報発報中において、２０１号室内に設置されたプレート子機１ａ、１ｂのうち何れか１の当該プレート子機、ここでは、プレート子機１ｂの子機端子１０に接続されているナースコール子機２を取外すと（ステップＳＴ４６）、この取外し後のタイミングであって前述のような１００ｍｓ毎の定期的なタイミングでその生成が継続している状態探査信号が、プレート子機１ａ、１ｂの子機ＣＰＵ１５にそれぞれ伝送される（ステップＳＴ４７）。
【００７９】
プレート子機１ａ、１ｂの子機ＣＰＵ１５はそれぞれ、廊下灯３より同一の配線上で同一のタイミングで（再び）伝送されてきた状態探査信号を検出すると、接続検出回路１０の検出結果をもとにナースコール子機２が子機端子１０に接続されているかを確認する。ここで、プレート子機１ａの子機端子１０には、図６に示すようにナースコール子機２が接続されているため、この接続状態を接続検出回路１１の検出結果をもとに確認した子機ＣＰＵ１５は、接続状態を示す状態検出応答信号を生成する（ステップＳＴ４８）。なお、プレート子機１ａの子機ＣＰＵ１５によれば、子機端子１０に接続されたナースコール子機２が呼出操作されていると呼出検出回路１１の検出結果をもとに検出できた場合には、呼出状態を示す操作検出応答信号を生成することもできる（ステップＳＴ４８）。また、プレート子機１ａの子機ＣＰＵ１５にて再生成された状態検出応答信号又は操作検出応答信号は、前述と同様な伝送路を経由して廊下灯３の廊下灯ＣＰＵ３３に伝送される。
【００８０】
一方、プレート子機１ｂの子機端子１０には、図６に示すようにナースコール子機２が取外されて未接続であるため、この未接続状態を接続検出回路１１の検出結果をもとに確認した子機ＣＰＵ１５は、未接続状態を示す状態検出応答信号を生成する（ステップＳＴ４９）。また、プレート子機１ｂの子機ＣＰＵ１５にて再生成された状態検出応答信号は、前述と同様な伝送路を経由して廊下灯３の廊下灯ＣＰＵ３３に伝送される。
【００８１】
廊下灯３の廊下灯ＣＰＵ３３は、プレート子機１ａ、１ｂより同一の配線上で同一のタイミングで伝送されてきたそれぞれの状態検出応答信号又は操作検出応答信号を、前述の状態探査信号を再生成後であって例えば、１０ｍｓの経過後のタイミングで受信するにあたって、その状態検出応答信号を示す内容が接続状態、未接続状態で異なっており、そのエラー情報に伴い信号受信ができないため、この時点においてはプレート子機１ａ、１ｂのうち何れの当該プレート子機がナースコール子機２の接続状態又は未接続状態であるか、或いは何れの当該プレート子機が故障しているか判断できない。そこで、廊下灯ＣＰＵ３３は、未接続状態を示す当該信号の送信元であるプレート子機１ｂの動作を停止させるための停止制御信号を再生成する（ステップＳＴ５０）。この停止制御信号は、前述と同様な伝送路を経由してプレート子機１ａ、１ｂの子機ＣＰＵ１５にそれぞれ伝送される。
【００８２】
また、廊下灯３の廊下灯ＣＰＵ３３は、前述の停止制御信号の生成後であって状態探査信号を再生成した３回目のタイミングから計時される１００ｍｓの経過後に状態探査信号を再生成する（ステップＳＴ５１）。この状態探査信号は、前述と同様な伝送路を経由してプレート子機１ａ、１ｂの子機ＣＰＵ１５にそれぞれ伝送される。
【００８３】
ここで、プレート子機１ａ、１ｂの子機ＣＰＵ１５のうち、プレート子機１ａの子機ＣＰＵ１５は、廊下灯３より伝送されてきた停止制御信号が無効な当該信号であると判別され、状態探査信号を検出することで接続状態を示す状態検出応答信号又は呼出状態を示す操作検出応答信号を再生成する（ステップＳＴ５２）。この状態検出応答信号又は操作検出応答信号は、前述と同様な伝送路を経由して廊下灯３の廊下灯ＣＰＵ３３に伝送される。
【００８４】
一方、プレート子機１ｂの子機ＣＰＵ１５は、廊下灯３より伝送されてきた停止制御信号が有効な当該信号であると判別されるため、自子機の動作が停止される。したがって、プレート子機１ａの子機ＣＰＵ１５のような状態検出応答信号又は操作検出応答信号を再生成することはない。
【００８５】
廊下灯３の廊下灯ＣＰＵ３３は、プレート子機１ａより伝送されてきた状態検出応答信号又は操作検出応答信号を、例えば、前述の状態探査信号の再生成後であって例えば、１０ｍｓの経過後のタイミングで受信すると、自廊下灯３及びナースコール親機４にて継続中の警報発報を停止させるとともに、２台のプレート子機１ａ、１ｂのうち、子機端子１０にナースコール子機２が接続されているプレート子機１ａを有効な機器として自動設定することができる（ステップＳＴ５３、ＳＴ５４）。
【００８６】
なお、前述のように、停止制御信号により動作が停止されたプレート子機１ｂによれば、例えば、当該システムへの電源供給が再起動した場合や子機端子１０にナースコール子機２が再接続された場合において、これを検出した子機ＣＰＵ１５の制御によってその動作を再開することができる。
【００８７】
『第３の動作（ステップＳＴ３１〜ＳＴ５４）』によれば、前述の２０１号室のみならず、その他の部屋においても同様な動作が行われることにより、各ベッドに設置されるプレート子機１ａ、１ｂの子機端子１０にそれぞれナースコール子機２が接続された場合の動作として、その後に何れかの当該プレート子機の子機端子１０からナースコール子機２を取外した場合、ナースコール子機２の接続が保持されている当該プレート子機を有効な機器として廊下灯３の廊下灯ＣＰＵ３０で自動設定することができる一方、その他の当該プレート子機の動作を停止させることができる。
【００８８】
また、『第３の動作（ステップＳＴ３１〜ＳＴ５４）』によれば、部屋毎の各ベッドに設置される当該プレート子機として、２台のプレート子機１ａ、１ｂを適用したが、この台数に限定されるものではない。例えば、３台以上の当該プレート子機を適用し、それぞれの子機端子１０にナースコール子機２が接続された場合の動作として、その後に何れか１の接続状態を保持しつつ他の接続状態が解除されるように当該プレート子機の子機端子１０からナースコール子機２を取外した場合であっても、ナースコール子機２の接続が保持されている当該プレート子機を有効な機器として廊下灯３の廊下灯ＣＰＵ３０で自動設定することができる一方、その他の当該プレート子機の動作を停止させることができる。
【００８９】
『第４の動作』
次に、第４の動作について図７（Ａ）のブロック図及び図７（Ｂ）のフローチャート図を参照して説明する。図１に示す例えば、２０１号室内であって、同部屋内の各ベッドに設置される当該プレート子機の台数として、（２０１号室の出入り口近傍に設置された）図１、図２に示す廊下灯３の廊下灯操作部３０を用いて２台の設定を予め行い（ステップＳＴ６１、ＳＴ６２）、この設定状態で、プレート子機１ａ、１ｂの子機端子１０にそれぞれ、ナースコール親機２が接続されているとき、このような施工が完了したタイミングで制御機５に電源が投入されると、これを検出した制御機５により制御される廊下灯３の廊下灯ＣＰＵ３３は、所定の間隔、例えば、１００ｍｓ毎の定期的なタイミングで、ナースコール子機２がプレート子機１ａ、１ｂの子機端子１０に接続されているか否かを状態探査するための状態探査信号を生成する（ステップＳＴ６３）。この状態探査信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００９０】
プレート子機１ａ、１ｂの子機ＣＰＵ１５はそれぞれ、廊下灯３より同一の配線上で同一のタイミングで伝送されてきた状態探査信号を検出すると、接続検出回路１１の検出結果をもとにナースコール子機２が子機端子１０に接続されているかを確認する。ここで、プレート子機１ａ、１ｂの子機端子１０にはそれぞれ、図７（Ａ）に示すようにナースコール子機２が接続されているため、この接続状態を接続検出回路１１の検出結果をもとに確認した子機ＣＰＵ１５は、接続状態を示す状態検出応答信号をそれぞれ生成する（ステップＳＴ６４、ＳＴ６５）。また、プレート子機１ａ、１ｂの子機ＣＰＵ１５にてそれぞれ生成された状態検出応答信号は、子機Ｉ／Ｆ１６、子機／廊下灯ラインＬ1、廊下灯３の子機側廊下灯Ｉ／Ｆ３４を経由して廊下灯ＣＰＵ３３に伝送される。
【００９１】
廊下灯３の廊下灯ＣＰＵ３３は、廊下灯操作部３０の設定状態に起因した台数に該当する２台のプレート子機１ａ、１ｂより同一の配線上で同一のタイミングで伝送されてきた状態検出応答信号を、前述の状態探査信号の生成後で例えば、１０ｍｓの経過後のタイミングで受信するにあたって、本来ならば２台以上の当該プレート子機が接続された場合には必ず初期エラーとなるべきところ、そのエラーが発生せずに状態検出応答信号を示す内容が接続状態で重畳伝送されてきたため、２０１号室内に設置されたプレート子機１ａ、１ｂの子機端子１０にそれぞれ、ナースコール子機２が接続状態である旨の警報発報を行うことができるばかりでなく（ステップＳＴ６６）、同様な警報発報をナースコール親機４に行うための警報移報信号を生成する。この警報移報信号は、廊下灯ＣＰＵ３３から制御機側廊下灯Ｉ／Ｆ３５、廊下灯ラインＬ2、制御機５、親機ラインＬ3を経由してナースコール親機４に伝送される。
【００９２】
ナースコール親機４は、廊下灯３より伝送されてきた警報移報信号を受信すると、２０１号室内に設置されたプレート子機１ａ、１ｂの子機端子１０にそれぞれ、ナースコール子機２が接続状態である旨の警報発報を行うことができる（ステップＳＴ６６）。
【００９３】
次に、前述のような警報発報中において、２０１号室内に設置されたプレート子機１ａ、１ｂのうち何れか１の当該プレート子機、ここでは、プレート子機１ａの子機端子１０に接続されているナースコール子機２を取外すと（ステップＳＴ６７）、この取外し後のタイミングであって前述のような１００ｍｓ毎の定期的なタイミングでその生成が継続している状態探査信号が、プレート子機１ａ、１ｂの子機ＣＰＵ１５にそれぞれ伝送される（ステップＳＴ６８）。
【００９４】
プレート子機１ａ、１ｂの子機ＣＰＵ１５はそれぞれ、廊下灯３より同一の配線上で同一のタイミングで（再び）伝送されてきた状態探査信号を検出すると、接続検出回路１０の検出結果をもとにナースコール子機２が子機端子１０に接続されているかを確認する。ここで、プレート子機１ｂの子機端子１０には、図７（Ａ）に示すようにナースコール子機２が接続されているため、この接続状態を接続検出回路１１の検出結果をもとに確認した子機ＣＰＵ１５は、接続状態を示す状態検出応答信号を再生成する（ステップＳＴ６９）。また、プレート子機１ｂの子機ＣＰＵ１５にて再生成された状態検出応答信号は、前述と同様な伝送路を経由して廊下灯３の廊下灯ＣＰＵ３３に伝送される。
【００９５】
一方、プレート子機１ａの子機端子１０には、図７（Ａ）に示すようにナースコール子機２が取外されて未接続であるため、この未接続状態を接続検出回路１１の検出結果をもとに確認した子機ＣＰＵ１５は、未接続状態を示す状態検出応答信号を生成する（ステップＳＴ７０）。また、プレート子機１ｂの子機ＣＰＵ１５にて生成された状態検出応答信号は、前述と同様な伝送路を経由して廊下灯３の廊下灯ＣＰＵ３３に伝送される。
【００９６】
廊下灯３の廊下灯ＣＰＵ３３は、プレート子機１ａ、１ｂより同一の配線上で同一のタイミングで伝送されてきたそれぞれの状態検出応答信号を、前述の状態探査信号を再生成後であって例えば、１０ｍｓの経過後のタイミングで受信するにあたって、その状態検出応答信号を示す内容が接続状態、未接続状態で異なっているが、この時点においてはプレート子機１ａ、１ｂのうち何れがナースコール子機２の接続状態又は未接続状態であるかを判断できない。そこで、廊下灯ＣＰＵ３３は、未接続状態を示す当該信号の送信元であるプレート子機１ａの動作を停止させるための停止制御信号を生成する（ステップＳＴ７１）。この停止制御信号は、廊下灯ＣＰＵ３３から子機側廊下灯Ｉ／Ｆ３４、子機／廊下灯ラインＬ1、プレート子機１ａ、１ｂの子機Ｉ／Ｆ１６を経由して子機ＣＰＵ１５にそれぞれ伝送される。
【００９７】
また、廊下灯３の廊下灯ＣＰＵ３３は、前述の停止制御信号の生成後であって状態探査信号を再生成した２回目のタイミングから計時される１００ｍｓの経過後に状態探査信号を再生成する（ステップＳＴ７２）。この状態探査信号は、前述と同様な伝送路を経由してプレート子機１ａ、１ｂの子機ＣＰＵ１５にそれぞれ伝送される。
【００９８】
ここで、プレート子機１ａ、１ｂの子機ＣＰＵ１５のうち、プレート子機１ｂの子機ＣＰＵ１５は、廊下灯３より伝送されてきた停止制御信号が無効な当該信号であると判別され、状態探査信号を検出することで接続状態を示す状態検出応答信号を再生成する（ステップＳＴ７３）。この状態検出応答信号は、前述と同様な伝送路を経由して廊下灯３の廊下灯ＣＰＵ３３に伝送される。
【００９９】
一方、プレート子機１ａの子機ＣＰＵ１５は、廊下灯３より伝送されてきた停止制御信号が有効な当該信号であると判別されるため、自子機の動作が停止される。したがって、プレート子機１ｂの子機ＣＰＵ１５のような状態検出応答信号を再生成することはない。
【０１００】
廊下灯３の廊下灯ＣＰＵ３３は、プレート子機１ｂより伝送されてきた状態検出応答信号を、前述の状態探査信号の再生成後であって例えば、１０ｍｓの経過後のタイミングで受信すると、自廊下灯３及びナースコール親機４にて継続して行われている警報発報を停止させるとともに、２台のプレート子機１ａ、１ｂのうち、子機端子１０にナースコール子機２が接続されているプレート子機１ｂを有効な機器として自動設定することができる（ステップＳＴ７４、ＳＴ７５）。
【０１０１】
なお、前述のように、停止制御信号により動作が停止されたプレート子機１ａによれば、例えば、当該システムへの電源供給が再起動した場合や子機端子１０にナースコール子機２が再接続された場合において、これを検出した子機ＣＰＵ１５の制御によってその動作を再開することができる。
【０１０２】
『第４の動作（ステップＳＴ６１〜ＳＴ７５）』によれば、前述の２０１号室のみならず、その他の部屋においても同様な動作が行われることにより、各ベッドに設置されるプレート子機１ａ、１ｂの台数を１台又は２台以上で廊下灯３の廊下灯操作部３０を用いて予め設定し、設定された台数の当該プレート子機の子機端子１０にそれぞれナースコール子機２が接続されていると廊下灯ＣＰＵ３３が検出した場合、その旨の警報発報を行うことができ、その警報発報中において子機端子１０からナースコール子機２を取外した場合、ナースコール子機２の呼出操作を必要とせずに、ナースコール子機２の接続が保持されている当該プレート子機を有効な機器として廊下灯ＣＰＵ３３にて自動設定することができる一方、その当該プレート子機の動作を停止させることができる。
【０１０３】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１０４】
例えば、本発明の実施例によれば、被看護人からの呼出しに応答して通話を成立させるための機器として、スタッフステーション等の施設内共用部に設置されるナースコール親機４を適用したが、この態様に限定されるものではない。具体的には、ナースコール親機４のみならず、施設内を巡回中の看護人により携帯される例えば、ＰＨＳ端末等の無線携帯端末を適用し、この無線携帯端末を制御機５によって制御することもできる。また、廊下灯３、３、・・・によれば、何れの当該プレート子機にナースコール子機２が接続されているのかを認識せずに動作することができる。
【符号の説明】
【０１０５】
１ａ、１ｂ、１ａ、１ｂ、・・・ ……少なくとも２台のプレート子機／１台又は２台以上のプレート子機
１１……接続検出回路
１２……呼出検出回路
１５……子機ＣＰＵ
２……ナースコール子機
３、３、・・・……廊下灯
３０……廊下灯操作部
３３……廊下灯ＣＰＵ
４……ナースコール親機
５……制御機
【図１】
2014045803.tif 000003
【図２】
2014045803.tif 000004
【図３】
2014045803.tif 000005
【図４】
2014045803.tif 000006
【図５】
2014045803.tif 000007
【図６】
2014045803.tif 000008
【図７】
2014045803.tif 000009